(57)【要約】【課題】ユーザ間のコミュニケーションを活性化する。【解決手段】情報処理装置は、情報処理装置のユーザとは異なる他のユーザのスケジュール情報又は前記他のユーザの情報処理装置の位置情報を特定のスポットの情報と照合することにより、前記他のユーザが前記特定のスポットに存在するか否かを判定する（ステップＳ３）制御手段と、前記制御手段により特定のスポットに存在すると判定した場合（ステップＳ３：Ｙ）、前記特定のスポットの画像を取得する（ステップＳ４）取得手段と、前記取得手段により取得した前記特定のスポットの画像を表示する（ステップＳ６）表示手段と、を備える。【選択図】図６
2017062560.tif 000002
【特許請求の範囲】
【請求項１】
情報処理装置のユーザとは異なる他のユーザのスケジュール情報又は前記他のユーザの情報処理装置の位置情報を特定のスポットの情報と照合することにより、前記他のユーザが前記特定のスポットに存在するか否かを判定する制御手段と、
前記制御手段により特定のスポットに存在すると判定した場合、前記特定のスポットの画像を取得する取得手段と、
前記取得手段により取得した前記特定のスポットの画像を表示する表示手段と、
を備えることを特徴とする情報処理装置。
【請求項２】
前記スケジュール情報は、スケジュールの開始時間の情報を含み、
前記表示手段は、前記スケジュールの開始時間に至った後に、前記特定のスポットの画像を表示することを特徴とする請求項１に記載の情報処理装置。
【請求項３】
前記取得手段は、複数の前記特定のスポットの画像を取得し、
前記表示手段は、前記取得手段により取得した複数の特定のスポットの画像のスライドショーを表示することを特徴とする請求項１又は２に記載の情報処理装置。
【請求項４】
前記表示手段は、前記照合の結果、前記特定のスポットの情報と一致したスケジュール情報を、前記特定のスポットの画像とともに表示することを特徴とする請求項１〜３のいずれか一項に記載の情報処理装置。
【請求項５】
前記他のユーザが存在するスポットの判定情報をサーバに送信し、当該スポットが前記特定のスポットであるか否かの回答を前記サーバから受信する通信手段を備え、
前記制御手段は、前記サーバからの回答に応じて、前記他のユーザが前記特定のスポットに存在するか否かを判定することを特徴とする請求項１〜４のいずれか一項に記載の情報処理装置。
【請求項６】
情報処理装置のユーザのスケジュール情報又は当該情報処理装置の位置情報を特定のスポットの情報と照合することにより、前記ユーザが前記特定のスポットに存在するか否かを判定する制御手段と、
前記制御手段により特定のスポットに存在すると判定した場合、前記特定のスポットの画像を取得する取得手段と、
前記取得手段により取得した前記特定のスポットの画像を他の情報処理装置に送信する通信手段と、
を備えることを特徴とする情報処理装置。
【請求項７】
前記スケジュール情報は、スケジュールの開始時間の情報を含み、
前記通信手段は、前記スケジュールの開始時間に至った後に、前記特定のスポットの画像を他の情報処理装置に送信することを特徴とする請求項６に記載の情報処理装置。
【請求項８】
前記通信手段は、前記ユーザが存在するスポットの判定情報をサーバに送信し、当該スポットが前記特定のスポットであるか否かの回答を前記サーバから受信し、
前記制御手段は、前記サーバからの回答に応じて、前記ユーザが特定のスポットに存在するか否かを判定することを特徴とする請求項６又は７に記載の情報処理装置。
【請求項９】
前記特定のスポットは、行楽スポットであることを特徴とする請求項１〜８のいずれか一項に記載の情報処理装置。
【請求項１０】
グループを構成する複数の情報処理装置のそれぞれが位置するスポットが特定のスポットであるか否かを判定する制御手段と、
前記制御手段により特定のスポットであると判定した場合、前記特定のスポットの画像を取得する取得手段と、
前記取得手段により取得した前記特定のスポットの画像を、前記グループを構成する情報処理装置のうち、前記特定のスポットに位置すると判定した情報処理装置以外の他の情報処理装置に送信する通信手段と、
を備えることを特徴とするサーバ。
【請求項１１】
情報処理装置が実行する画像表示方法であって、
前記情報処理装置のユーザとは異なる他のユーザのスケジュール情報又は前記他のユーザの情報処理装置の位置情報を特定のスポットの情報と照合することにより、前記他のユーザが前記特定のスポットに存在するか否かを判定するステップと、
前記特定のスポットに存在すると判定した場合、前記特定のスポットの画像を取得するステップと、
前記取得した前記特定のスポットの画像を表示するステップと、
を含むことを特徴とする画像表示方法。
【請求項１２】
情報処理装置が実行する画像送信方法であって、
前記情報処理装置のユーザのスケジュール情報又は当該情報処理装置の位置情報を特定のスポットの情報と照合することにより、前記ユーザが前記特定のスポットに存在するか否かを判定するステップと、
前記特定のスポットに存在すると判定した場合、前記特定のスポットの画像を取得するステップと、
前記取得した前記特定のスポットの画像を他の情報処理装置に送信するステップと、
を含むことを特徴とする画像送信方法。
【請求項１３】
サーバが実行する画像送信方法であって、
グループを構成する複数の情報処理装置のそれぞれが位置するスポットが特定のスポットであるか否かを判定するステップと、
前記複数の情報処理装置のうちのいずれかが位置するスポットが特定のスポットであると判定した場合、前記特定のスポットの画像を取得するステップと、
前記取得した前記特定のスポットの画像を、前記グループを構成する情報処理装置のうち、前記特定のスポットに位置すると判定された情報処理装置以外の他の情報処理装置に送信するステップと、
を含むことを特徴とする画像送信方法。
【請求項１４】
情報処理装置のコンピュータに、
前記情報処理装置のユーザとは異なる他のユーザのスケジュール情報又は前記他のユーザの情報処理装置の位置情報を特定のスポットの情報と照合することにより、前記他のユーザが前記特定のスポットに存在するか否かを判定するステップと、
前記特定のスポットに存在すると判定した場合、前記特定のスポットの画像を取得するステップと、
前記取得した前記特定のスポットの画像を表示するステップと、
を実行させるためのプログラム。
【請求項１５】
情報処理装置のコンピュータに、
前記情報処理装置のユーザのスケジュール情報又は当該情報処理装置の位置情報を特定のスポットの情報と照合することにより、前記ユーザが前記特定のスポットに存在するか否かを判定するステップと、
前記特定のスポットに存在すると判定した場合、前記特定のスポットの画像を取得するステップと、
前記取得した前記特定のスポットの画像を他の情報処理装置に送信するステップと、
を実行させるためのプログラム。
【請求項１６】
サーバのコンピュータに、
グループを構成する複数の情報処理装置が位置するスポットが特定のスポットであるか否かを判定するステップと、
前記特定のスポットであると判定した場合、前記特定のスポットの画像を取得するステップと、
前記取得した前記特定のスポットの画像を、前記グループを構成する情報処理装置のうち、前記特定のスポットに位置すると判定された情報処理装置以外の他の情報処理装置に送信するステップと、
を実行させるためのプログラム。
【発明の詳細な説明】
【技術分野】
【０００１】
本発明は、情報処理装置、サーバ、画像表示方法、画像送信方法及びプログラムに関する。
【背景技術】
【０００２】
認知症の予防や高齢者の介護等には、コミュニケーションが重要といわれている。高齢者とその家族、施設内の高齢者同士、趣味の仲間等の間でコミュニケーションの機会を増やすことが求められている。
【０００３】
従来、各ユーザの携帯電話間でスケジュールを送受信して、各ユーザのスケジュールを共有することが行われている（例えば、特許文献１参照。）。スケジュールの共有により、他のユーザの空き時間に電話する等、コミュニケーションをとりやすくなる。
【先行技術文献】
【特許文献】
【０００４】
【特許文献１】特開２００６−２２２７２７号公報
【発明の概要】
【発明が解決しようとする課題】
【０００５】
スケジュールの共有により、他のユーザの行動に関心を持って、より活性なコミュニケーションも期待できるが、共有するスケジュールから把握できるのは、他のユーザが行動を予定している場所や時間といった簡単な情報だけである。そこがどのような場所でどのようなことをしているのか、具体的な行動内容を把握することは難しく、コミュニケーションを活性化させる話題とするには情報が不十分である。
【０００６】
本発明の課題は、ユーザ間のコミュニケーションを活性化することである。
【課題を解決するための手段】
【０００７】
本発明の第１の態様によれば、上記課題を解決するため、
情報処理装置のユーザとは異なる他のユーザのスケジュール情報又は前記他のユーザの情報処理装置の位置情報を特定のスポットの情報と照合することにより、前記他のユーザが前記特定のスポットに存在するか否かを判定する制御手段と、
前記制御手段により特定のスポットに存在すると判定した場合、前記特定のスポットの画像を取得する取得手段と、
前記取得手段により取得した前記特定のスポットの画像を表示する表示手段と、
を備えることを特徴とする情報処理装置を提供することができる。
【０００８】
本発明の第２の態様によれば、上記課題を解決するため、
情報処理装置のユーザのスケジュール情報又は当該情報処理装置の位置情報を特定のスポットの情報と照合することにより、前記ユーザが前記特定のスポットに存在するか否かを判定する制御手段と、
前記制御手段により特定のスポットに存在すると判定した場合、前記特定のスポットの画像を取得する取得手段と、
前記取得手段により取得した前記特定のスポットの画像を他の情報処理装置に送信する通信手段と、
を備えることを特徴とする情報処理装置を提供することができる。
【０００９】
本発明の第３の態様によれば、上記課題を解決するため、
グループを構成する複数の情報処理装置のそれぞれが位置するスポットが特定のスポットであるか否かを判定する制御手段と、
前記制御手段により特定のスポットであると判定した場合、前記特定のスポットの画像を取得する取得手段と、
前記取得手段により取得した前記特定のスポットの画像を、前記グループを構成する情報処理装置のうち、前記特定のスポットに位置すると判定した情報処理装置以外の他の情報処理装置に送信する通信手段と、
を備えることを特徴とするサーバを提供することができる。
【発明の効果】
【００１０】
本発明によれば、ユーザ間のコミュニケーションを活性化することができる。
【図面の簡単な説明】
【００１１】
【図１】本発明の実施の形態の情報処理装置及びサーバを備える通信システムの概略構成を示す図である。
【図２】情報処理装置の主な構成を機能ごとに示すブロック図である。
【図３】サーバの主な構成を機能ごとに示すブロック図である。
【図４】グループスケジュールの一例を示す図である。
【図５】グループスケジュールの表示画面例を示す図である。
【図６】情報処理装置が、グループを構成する複数の情報処理装置のうち、特定のスポットに位置する情報処理装置以外の他の情報処理装置において特定のスポットの画像を表示させるときの処理手順を示している。
【図７】特定のスポットの情報のデータベースの一例を示す図である。
【図８】他の情報処理装置における特定のスポットの画像の表示画面例を示す図である。
【図９】サーバが、グループを構成する複数の情報処理装置のうち、特定のスポットに位置する情報処理装置以外の他の情報処理装置において特定のスポットの画像を表示させるときの処理手順を示している。
【発明を実施するための形態】
【００１２】
以下、本発明の情報処理装置、サーバ、画像表示方法、画像送信方法及びプログラムの実施の形態について、図面を参照して説明する。
【００１３】
図１は、本発明の実施の形態の通信システム１００の概略構成を示している。
図１に示すように、通信システム１００は、情報処理装置１０Ａ及び１０Ｂと、各情報処理装置１０Ａ及び１０Ｂと通信するサーバ３０と、行楽スポットの情報を提供するサーバ４０ａ、４０ｂ及び４０ｃと、を備えている。
【００１４】
図１に示すように、各情報処理装置１０Ａ及び１０Ｂは、電話回線網Ｎ１を介して互いに通話やデータ通信を行うことができる。
また、各情報処理装置１０Ａ及び１０Ｂは、電話回線網Ｎ１及びインターネットＮ２を介して、サーバ３０及び４０ａ〜４０ｃと通信可能である。
なお、図１は一例を示しており、通信システム１００に使用できる情報処理装置等の数は特に限定されない。
【００１５】
情報処理装置１０Ａ及び１０Ｂとしては、スマートフォン、タブレット端末、パーソナルコンピュータ等を使用することができる。
情報処理装置１０Ａ及び１０Ｂは同じ構成であるので、以下、情報処理装置１０Ａを代表として構成を説明する。
【００１６】
図２は、情報処理装置１０Ａの主な構成を機能ごとに示すブロック図である。
図２に示すように、情報処理装置１０Ａは、制御部１１、記憶部１２、操作部１３、表示部１４、通信部１５、マイク１６、スピーカ１７、位置検出部１８及び撮影部１９を備えて構成されている。
【００１７】
制御部１１は、ＣＰＵ（Central Processing Unit）、ＲＡＭ（Random Access Memory）等から構成され、記憶部１２から各種プログラムを読み出して実行することにより、情報処理装置１０Ａの各構成部を制御する。
【００１８】
制御部１１（制御手段）は、情報処理装置１０Ａのユーザ又は情報処理装置１０Ａとグループを構成する他の情報処理装置１０Ｂのユーザが特定のスポットに存在するか否かを判定する。
制御部１１（取得手段）は、特定のスポットに存在すると判定した場合、当該特定のスポットの画像を、記憶部１２が記憶する特定のスポットのデータベースから取得することができる。
【００１９】
記憶部１２は、制御部１１が読み取り可能なプログラム、プログラムの実行に必要なデータ等を記憶している。記憶部１２としては、例えばハードディスク、ＥＥＰＲＯＭ（Electrically Erasable Programmable ROM）、フラッシュメモリ等の記憶媒体を用いることができる。
記憶部１２は、後述する特定のスポットの情報のデータベース、ユーザが所属するグループのグループリスト、グループスケジュール等を記憶している。
【００２０】
操作部１３は、ユーザの操作に応じた操作信号を生成し、制御部１１に出力する。操作部１３としては、キーパッド、表示部１４と一体に構成されたタッチパネル等を用いることができる。
【００２１】
表示部１４（表示手段）は、制御部１１の指示にしたがって操作画面、グループスケジュール、特定のスポットの画像等を表示出力する。
表示部１４としては、ＬＣＤ（Liquid Crystal Display）、ＯＥＬＤ（Organic Electro Luminescence Display）等を用いることができる。
【００２２】
通信部１５は、電話回線網Ｎ１又はインターネットＮ２を経由して、他の情報処理装置１０Ｂ、サーバ３０及び４０ａ〜４０ｃと通信する。
具体的には、通信部１５は、アンテナを介して受信した通話音声、テキスト、画像等の電波を復調処理して、得られたデータを出力する。また、通信部１５は、送信するデータ、例えばマイク１６により入力した通話音声や操作部１３により入力したテキスト、制御部１１からの指示情報等のデータを変調処理して得られた電波を、アンテナを介して電話回線網Ｎ１上の基地局に送信する。
通信部１５は、ＷｉＦｉ（登録商標）により、無線ＬＡＮのアクセスポイントに接続し、無線ＬＡＮ経由で他の情報処理装置１０Ｂやサーバ３０等と通信することもできる。
【００２３】
通信部１５（取得手段）は、制御部１１により情報処理装置１０Ａ又は１０Ｂのユーザが特定のスポットに存在すると判定した場合、当該特定のスポットの画像をサーバ３０、４０ａ〜４０ｃ等から取得することができる。
また、通信部１５（通信手段）は、制御部１１により情報処理装置１０Ａのユーザが特定のスポットに存在すると判定した場合、当該特定のスポットの画像を他の情報処理装置１０Ｂに送信する。
【００２４】
マイク１６は、通話音声等の音を入力する。       
スピーカ１７は、通信部１５から入力された音声データに基づいて通話音声やメッセージ音声等を出力する。スピーカ１７は、読み上げデータ、音楽データ等に基づいて、音声、音楽、報知音等の音を出力することもできる。
【００２５】
位置検出部１８は、情報処理装置１０Ａの現在位置を検出する。
位置検出部１８は、例えば、少なくとも３つのＧＰＳ衛星からＧＰＳ信号を受信する。また、位置検出部１８は、加速度センサー、ジャイロセンサー、磁気センサー等の各種センサーを備えて、各センサーから出力されたデータと、受信した各ＧＰＳ信号に基づいて、情報処理装置１０Ａの現在位置を算出してもよい。
【００２６】
撮影部１９は、ＣＣＤ（Charge Coupled Device）等の撮像素子、光源等を備えて、被写体を撮影し、撮影画像を生成する。
【００２７】
図３は、サーバ３０の主な構成を機能ごとに示すブロック図である。
図３に示すように、サーバ３０は、制御部３１、記憶部３２及び通信部３３を備えている。
【００２８】
制御部３１は、ＣＰＵ、ＲＡＭ等から構成され、記憶部３２から各種プログラムを読み出して実行することにより、サーバ３０の各構成部を制御する。
【００２９】
記憶部３２は、制御部３１が読み取り可能なプログラム、プログラムの実行に必要なデータ等を記憶している。
記憶部３２としては、例えばハードディスク、ＥＥＰＲＯＭ、フラッシュメモリ等の記憶媒体を用いることができる。
記憶部３２は、後述するグループリスト、特定のスポットの情報のデータベース等を記憶している。
【００３０】
通信部３３は、インターネットＮ２を経由して、情報処理装置１０Ａ、１０Ｂ及びサーバ４０ａ〜４０ｃと通信する。
【００３１】
上記通信システム１００においては、情報処理装置１０Ａのユーザ（以下、ユーザＡという。）と、情報処理装置１０Ｂのユーザ（以下、ユーザＢという。）を１つのグループのメンバーとして登録することにより、各ユーザＡ及びＢのスケジュールを互いに共有することができる。
具体的には、情報処理装置１０Ａ又は１０Ｂが、サーバ３０が提供するスケジュール管理サービスにおいて新規グループを作成し、新規グループのメンバーの情報として、ユーザＡ及びＢの名称と、電話番号、メールアドレス等の連絡先とを登録する。サーバ３０は、グループごとに、グループの名称、ユーザの名称及び連絡先をグループリストに登録する。
【００３２】
グループ登録の完了後、各情報処理装置１０Ａ及び１０Ｂが、操作部１３により各ユーザＡ及びＢのスケジュールの名称、日時、場所等のスケジュール情報の入力を受け付けて、通信部１５によりサーバ３０に送信する。サーバ３０は、制御部１１により、同じグループに所属するユーザＡ及びＢのスケジュール情報をグループスケジュールとして登録し、記憶部３２に記憶する。
【００３３】
図４は、ユーザＡとユーザＢのグループスケジュールの例を示している。
図４に示すように、グループスケジュールには、ユーザＢのスケジュール情報として、日にち「２０１５．９．２０」、開始時間「９：３０」、終了時間「１１：３０」、名称「施設イベント」、場所「ケアポートＤ」等の情報が登録されている。また、同じ日のユーザＡのスケジュール情報として、開始時間「１０：００」、終了時間「１５：３０」、名称「ＥＦ遊園地」、場所「ＥＦ遊園地」等の情報が登録されている。
【００３４】
各情報処理装置１０Ａ及び１０Ｂは、通信部１５によりサーバ３０からグループスケジュールを取得し、記憶部１２に記憶する。各情報処理装置１０Ａ及び１０Ｂは、記憶部１２が記憶するグループスケジュールを、表示部１４により表示することができる。
図５は、ユーザＢ所有の情報処理装置１０Ｂにおけるグループスケジュールの表示画面例を示している。
図５に示すように、９月２０日（日）のグループスケジュールの表示画面Ｍ４には、９：３０〜１１：３０の時間帯に、名称が「施設イベント」であるユーザＢのスケジュールが表示されている。また、１０：００〜１５：３０の時間帯に、名称が「ＥＦ遊園地」であるユーザＡのスケジュールが表示されている。
【００３５】
図５に示す表示画面Ｍ４上には、予定登録ボタンｄ１１が表示されている。
操作部１３によりこの予定登録ボタンｄ１１が操作されると、表示部１４が新規のスケジュールの登録画面を表示する。ユーザは、登録画面において、スケジュールの名称、日時、場所等の項目の情報を入力することができる。その後、操作部１３により登録の指示ボタンが操作されると、各項目の情報をユーザＢのスケジュール情報として通信部１５がサーバ３０に送信する。
サーバ３０は、送信されたスケジュール情報を上述したグループスケジュールに登録し、記憶部３２に保存する。
【００３６】
情報処理装置１０Ａ及び１０Ｂは、同じグループに所属するいずれかのユーザが特定のスポットに存在すると、その他のユーザの情報処理装置において特定のスポットの画像を表示させることができる。
図６は、情報処理装置１０Ａが、特定のスポットの画像の表示制御を行うときの処理手順の例を示している。
図６に示すように、ユーザＡ所有の情報処理装置１０Ａでは、通信部１５によりグループスケジュールをサーバ３０に要求して、サーバ３０から送信されたグループスケジュールを取得する（ステップＳ１）。記憶部１２は、取得したグループスケジュールを記憶する。
【００３７】
制御部１１は、記憶部１２が記憶するグループスケジュールにおいて、スケジュールの開始時間に至ったスケジュール情報を検索する（ステップＳ２）。
制御部１１は、開始時間に至ったスケジュール情報がある場合（ステップＳ２：Ｙ）、当該スケジュール情報を特定のスポットの情報のデータベースと照合することにより、開始時間に至ったスケジュールのユーザＡ又はＢが、特定のスポットに存在するか否かを判定する（ステップＳ３）。
【００３８】
特定のスポットとは、コミュニケーションのきっかけになり得るスポットとして、データベースにあらかじめ登録されたスポットをいう。特定のスポットとしては、主に行楽スポットが挙げられるが、教育施設、研究施設等も特定のスポットとして登録することができる。行楽スポットとしては、例えば公園、プール、遊園地、野球場、ホール等の娯楽施設があるスポット、山や海、名所等の観光スポット等がある。
【００３９】
図７は、特定のスポットの情報のデータベースの一例を示している。
図７に示すように、データベースには、特定のスポットの名称、名称の表示用データ、名称の読み上げ用データ、位置（住所、緯度経度）、画像等が、特定のスポットの情報として登録されている。
例えば、名称が「ＥＦ遊園地」のスポットの情報として、スポットの住所「大阪府Ｅ区・・・」、緯度「Ｘ３°Ｙ３′Ｚ３"」、経度「Ｊ３°Ｋ３′Ｌ３"」等の位置情報、ＥＦ遊園地の乗り物等を撮影したファイル名「ＥＦ−１」等のスポットの画像が登録されている。
【００４０】
図７に示すように、特定のスポットの情報のデータベースには、スポットの付加情報が登録されている。スポットの付加情報は、案内、広告、お知らせ等のスポットに関する情報である。これらスポットの付加情報は、各行楽スポットのサーバ４０ａ〜４０ｃから取得することができるが、通信部１３によりインターネットＮ２上に提供されたスポットに関する情報を検索して取得することもできる。
なお、サーバ３０も同様のデータベースを記憶部３２に記憶している。
【００４１】
例えば、開始時間に至ったスケジュール情報が、図４に示すユーザＡの名称「ＥＦ遊園地」のスケジュール情報であった場合、そのスケジュール情報中の場所「ＥＦ遊園地」の情報は、図７に示すデータベース中の特定のスポットの名称「ＥＦ遊園地」の情報と一致する。よって、ユーザＡが現在特定のスポット「ＥＦ遊園地」に存在すると判定することができる。なお、スケジュールの場所だけでなく、スケジュールの名称等の情報と、特定のスポットの住所、位置等の情報とを照合することもできる。
【００４２】
制御部１１は、特定のスポットに存在すると判定した場合（ステップＳ３：Ｙ）、記憶部１２が記憶する特定のスポットの情報データベースから特定のスポットの画像を取得する（ステップＳ４）。
特定のスポットの画像は、通信部１５により、サーバ３０及び４０ａ〜４０ｃから取得することもできるし、インターネットＮ２上に提供された画像の中から特定のスポットの画像を検索して取得することもできる。
【００４３】
制御部１１は、開始時間に至ったスケジュールのユーザが、情報処理装置１０Ａ自身のユーザＡか、他の情報処理装置１０ＢのユーザＢかを判定する（ステップＳ５）。
制御部１１により他の情報処理装置１０ＢのユーザＢであると判定した場合（ステップＳ５：Ｙ）、取得した特定のスポットの画像を表示部１４に表示する（ステップＳ６）。
複数の画像を取得している場合、表示部１４は、複数の画像のスライドショーを表示することができる。
【００４４】
一方、制御部１１により情報処理装置１０Ａ自身のユーザＡであると判定した場合（ステップＳ５：Ｎ）、取得した特定のスポットの画像を、通信部１５が他の情報処理装置１０Ｂに送信する（ステップＳ７）。
他の情報処理装置１０Ｂは、情報処理装置１０Ａから特定のスポットの画像を受信すると、表示部１４に特定のスポットの画像を表示する。
【００４５】
図８は、ユーザＢ所有の情報処理装置１０Ｂにおける特定のスポットの画像の表示例を示す図である。
図８に示すように、情報処理装置１０Ｂの表示画面Ｍ１上には、特定のスポット「ＥＦ遊園地」の画像ｇ１〜ｇ３のスライドショーが表示されている。
情報処理装置１０ＢのユーザＢは、この乗り物があるＥＦ遊園地の画像を見て、情報処理装置１０ＡのユーザＡがＥＦ遊園地で楽しんでいることを把握することができる。ユーザＢは、ユーザＡのスケジュールを確認して、ＥＦ遊園地のスケジュールが終了後、ユーザＡに電話してＥＦ遊園地のことを話すことができ、ユーザＡ及びＢ間のコミュニケーションを活性化させることができる。
【００４６】
表示部１４は、図８に示すように、制御部１１による照合の結果、特定のスポットの情報と一致したスケジュール情報ｄ１２を、特定のスポットの画像ｇ１〜ｇ３とともに表示することができる。
これにより、画像を見ているユーザＢが、表示中の画像ｇ１〜ｇ３がどのユーザのスケジュールに関連する画像であるのかを把握することができる。
【００４７】
一方、グループスケジュール中にスケジュールの開始時間に至ったスケジュール情報が無いか（ステップＳ２：Ｎ）、特定のスポットではないと判定した場合（ステップＳ３：Ｎ）、上述のような特定の画像の取得は行わずに、本処理を終了する。
【００４８】
以上のように、本実施の形態の通信システム１００は、情報処理装置１０Ａ及び１０Ｂと、サーバ３０とを備えている。
情報処理装置１０Ａは、情報処理装置１０ＡのユーザＡ又は他の情報処理装置１０ＢのユーザＢのスケジュール情報を特定のスポットの情報と照合することにより、ユーザＡ又はＢが特定のスポットに存在するか否かを判定し、特定のスポットに存在すると判定した場合、当該特定のスポットの画像を取得する制御部１１と、制御部１１により他の情報処理装置１０ＢのユーザＢが特定のスポットに存在すると判定した場合、取得した特定のスポットの画像を表示する表示部１４と、制御部１１により情報処理装置１０ＡのユーザＡが特定のスポットに存在すると判定した場合、取得した特定のスポットの画像を他の処理情報処理装置１０Ｂに送信する通信部１５と、を備えている。
【００４９】
これにより、情報処理装置１０ＡのユーザＡは、他の情報処理装置１０ＢのユーザＢが存在する特定のスポットの画像を見ることができ、画像によりユーザＢがどこにいて何をしているのか、具体的な行動内容を把握することができる。情報処理装置１０ＢのユーザＢも同様に情報処理装置１０Ａから送信された特定のスポットの画像により、ユーザＡの具体的な行動内容を把握することができる。これにより、グループメンバーの具体的な行動を話題として提供することができ、ユーザＡ及びＢ間のコミュニケーションを促して活性化させることができる。
【００５０】
また、画像の表示により、スケジュールの内容が分からないユーザも具体的な内容を把握することが可能になる。
例えば、孫のスケジュールの名称が「コミックマーケット」であり、孫とコミュニケーションを行う祖父母が「コミックマーケット」の内容が分からない場合でも、コミックマーケットの画像を見て、どのようなことをするイベントかを把握することが容易になる。
【００５１】
上記実施の形態において、スケジュール情報は、スケジュールの開始時間の情報を含み、表示部１４は、スケジュールの開始時間に至った後に、特定のスポットの画像を表示する。また、通信部１５は、スケジュールの開始時間に至った後に、特定のスポットの画像を他の情報処理装置に送信する。
これにより、スケジュールの開始時間を契機として、特定のスポットの画像を提供することができる。スケジュールと連動してリアルタイムに特定のスポットの画像を表示することができ、臨場感を付与することができる。
【００５２】
また、制御部１１は、複数の特定のスポットの画像を取得し、表示部１４は、取得した複数の特定のスポットの画像のスライドショーを表示することができる。
これにより、飽きずに楽しませる画像を提供することができる。特定のスポットの画像が、行楽スポットのサーバ４０ａ〜４０ｃやインターネット上から取得した画像であると、ニュース映像のように見せることができる。
【００５３】
また、表示部１４は、制御部１１による照合の結果、特定のスポットの情報と一致したスケジュール情報を、特定のスポットの画像とともに表示することができる。
これにより、どのユーザのどのスケジュールに関連するスポットの画像なのかを、容易に把握することができる。
【００５４】
特定のスポットは、行楽スポットであると、話題にしやすく、コミュニケーションが活性化する。
【００５５】
なお、上記実施の形態では、スケジュール情報によりユーザが特定のスポットに存在するか否かを判定していたが、撮影部１９により撮影して得られた撮影画像を特定のスポットの画像と照合することにより、特定のスポットか否かを判定することができる。
具体的には、スケジュールの開始時間から終了時間までの間に撮影部１９により撮影された撮影画像を特定のスポットの画像と照合し、例えば、図８に示す特定のスポットの情報のデータベースに登録された「ＥＦ遊園地」の画像と一致すれば、情報処理装置１０ＡのユーザＡが現在位置するスポットが特定のスポット「ＥＦ遊園地」であると判定することができる。
【００５６】
情報処理装置１０Ａにおいて、他の情報処理装置１０ＢのユーザＢが特定のスポットに存在するか否かを判定する場合は、特定のスポットの判定情報として、他の情報処理装置１０Ｂの撮影部１９により得られた撮影画像を通信部１５により取得し、データベース中の特定のスポットの画像との照合に使用すればよい。
【００５７】
また、特定のスポットか否かを、情報処理装置１０Ａにおいて検出した現在位置の情報を、特定のスポットの位置の情報と照合することにより判定することもできる。
例えば、位置検出部１８により検出した現在位置が、図７に示す特定のスポットの情報のデータベースに登録された「ＥＦ遊園地」の緯度経度と略一致する場合は、情報処理装置１０ＡのユーザＡが特定のスポット「ＥＦ遊園地」に存在すると判定することができる。
【００５８】
情報処理装置１０Ａにおいて、他の情報処理装置１０ＢのユーザＢが特定のスポットに存在するか否かを判定する場合は、特定のスポットの判定情報として、他の情報処理装置１０Ｂの位置検出部１８により得られた現在位置の情報を通信部１５により取得し、データベース中の特定のスポットの位置の情報との照合に使用すればよい。
【００５９】
また、上記実施の形態では、情報処理装置１０Ａが図７に示す特定のスポットの情報のデータベースを備えて特定のスポットか否かを判定していたが、サーバ３０がこの判定を行うこととしてもよい。
具体的には、情報処理装置１０Ａにおいて、通信部１５が、ユーザＡ又はＢが存在するスポットの判定情報をサーバ３０に送信し、当該スポットが特定のスポットであるか否かの回答をサーバ３０から受信する。スポットの判定情報としては、上述したように、情報処理装置１０Ａ又は１０Ｂの撮影部１９により得られた撮影画像、位置検出部１８により検出した現在位置の情報、スケジュールの開始時間に至ったスケジュール情報等を送信することができる。
【００６０】
サーバ３０では、通信部３３によりユーザＡ又はＢが存在するスポットの判定情報を受信すると、制御部１１が当該スポットの判定情報を記憶部３２が記憶するデータベース中の特定のスポットの情報と照合することにより、当該スポットが特定のスポットであるか否かを判定する。通信部３３は、特定のスポットか否か、特定のスポットであればその名称等を含む回答を情報処理装置１０Ａに送信する。情報処理装置１０Ａでは、制御部３１が、サーバ３０からの回答に応じて、ユーザＡ又はＢが特定のスポットに存在するか否かを判定する。
このようにサーバ３０が判定を行うことにより、情報処理装置１０Ａにおける判定の処理負荷を減らすことができる。
【００６１】
サーバ３０において特定のスポットであると判定された場合、情報処理装置１０Ａの通信部１５は、特定のスポットの付加情報をサーバ３０から取得することとしてもよい。
これにより、幅広く、最新の付加情報を取得することができる。
【００６２】
〔他の実施の形態〕
上記通信システム１００においては、サーバ３０が、各情報処理装置１０Ａ及びＢにおける特定のスポットの画像の表示を制御することもできる。また、特定のスポットの画像を他のユーザの情報処理装置１０Ａ又は１０Ｂにおいて表示する契機を、スケジュールの開始時間に至った時ではなく、撮影が行われた時とすることもできる。
【００６３】
図９は、サーバ３０が、情報処理装置１０Ａ又は１０Ｂにおける特定のスポットの画像の表示を制御するときの処理手順を示している。
図９に示すように、情報処理装置１０Ｂにおいて撮影部１９により撮影が行われた場合（ステップＳ５１：Ｙ）、撮影部１９により得られた撮影画像を情報処理装置１０Ｂのスポットの判定情報として、通信部１５がサーバ３０へ送信する（ステップＳ５２）。
【００６４】
サーバ３０では、制御部３１が、情報処理装置１０Ｂから受信した撮影画像を、記憶部３２が記憶するデータベース（図７参照。）中の特定のスポットの画像と照合する。制御部３１（制御手段）は、照合の結果、一致すれば、情報処理装置１０Ｂが位置するスポットが特定のスポットであると判定し、一致しなければ特定のスポットではないと判定する（ステップＳ６１）。
【００６５】
なお、制御部３１は、上述した情報処理装置１０Ａの例と同様に、スケジュールの開始時間に至ったスケジュール情報か、情報処理装置１０Ａ又は１０Ｂの位置検出部１８により検出したそれぞれの現在位置の情報を、データベース中の特定のスポットの情報と照合することにより、特定のスポットか否かを判定することもできる。
【００６６】
制御部３１（取得手段）は、特定のスポットであると判定した場合（ステップＳ６１：Ｙ）、特定のスポットの画像を図７に示すデータベースから取得する。通信部３３（取得手段）が、インターネットＮ２上に提供された画像の中から特定のスポットの画像を検索して取得することもできる。
次いで、通信部３３（通信手段）は、取得した特定のスポットの画像を、情報処理装置１０Ｂと同じグループを構成する他の情報処理装置１０Ａに送信する（ステップＳ６２）。
【００６７】
情報処理装置１０Ａは、通信部１５（通信手段）によりサーバ３０から特定のスポットの画像を受信すると、表示部１４（表示手段）に当該特定のスポットの画像を表示する（ステップＳ７１）。
【００６８】
以上のように、他の実施の形態の通信システム１００は、情報処理装置１０Ａ及び１０Ｂと、サーバ３０とを備えている。サーバ３０は、グループを構成する情報処理装置１０Ａ及び１０Ｂのそれぞれが位置するスポットが特定のスポットであるか否かを判定し、特定のスポットであると判定した場合、当該特定のスポットの画像を取得する制御部３１と、取得した特定のスポットの画像を、上記グループを構成する情報処理装置１０Ａ及び１０Ｂのうち、特定のスポットに位置すると判定された情報処理装置以外の他の情報処理装置に送信する通信部３３と、を備えている。また、情報処理装置１０Ａ及び１０Ｂは、サーバ３０から特定のスポットの画像を受信する通信部１５と、当該特定のスポットの画像を表示する表示部１４と、を備えている。
【００６９】
これにより、上記実施形態と同様に、情報処理装置１０ＡのユーザＡと他の情報処理装置１０ＢのユーザＢは、互いの具体的な行動内容を把握することができる。これにより、グループメンバーの具体的な行動を話題として提供することができ、ユーザＡ及びＢ間のコミュニケーションを促して活性化させることができる。
【００７０】
上記実施の形態は本発明の好適な一例であり、これに限定されない。本発明の主旨を逸脱しない範囲で適宜変更可能である。
例えば、図６に示す処理手順において、各ユーザＡ及びＢのスケジュール情報のうちのいずれかのスケジュールの開始時間に至った時ではなく、図９に示す処理手順のように、いずれかの情報処理装置１０Ａ及び１０Ｂにおいて撮影が行われた時に、特定のスポットであるか否かの判定を行うこととしてもよい。
【００７１】
また、上記実施の形態では、ユーザが特定のスポットに存在するか否かを、グループスケジュールにおいて、スケジュールの開始時間に至った際に判定し、特定のスポットに存在する場合に、当該特定のスポットの画像を取得したが、スケジュールの開始時間より前に判定し、グループスケジュールにおいて、特定のスポットが登録されていれば、スケジュールの開始時間より先に取得しておいた特定のスポットの画像を表示するか、又は他の情報処理装置に送信してもよい。
【００７２】
本発明のいくつかの実施の形態を説明したが、本発明の範囲は上記実施の形態に限定されず、特許請求の範囲に記載した発明の範囲と当該範囲と均等の範囲を含む。
以下、この出願の願書に最初に添付した特許請求の範囲に記載した発明を付記する。下記付記における各請求項の番号は、この出願の願書に最初に添付した特許請求の範囲のとおりである。
【００７３】
＜付記＞
〔請求項１〕
情報処理装置のユーザとは異なる他のユーザのスケジュール情報又は前記他のユーザの情報処理装置の位置情報を特定のスポットの情報と照合することにより、前記他のユーザが前記特定のスポットに存在するか否かを判定する制御手段と、
前記制御手段により特定のスポットに存在すると判定した場合、前記特定のスポットの画像を取得する取得手段と、
前記取得手段により取得した前記特定のスポットの画像を表示する表示手段と、
を備えることを特徴とする情報処理装置。
〔請求項２〕
前記スケジュール情報は、スケジュールの開始時間の情報を含み、
前記表示手段は、前記スケジュールの開始時間に至った後に、前記特定のスポットの画像を表示することを特徴とする請求項１に記載の情報処理装置。
〔請求項３〕
前記取得手段は、複数の前記特定のスポットの画像を取得し、
前記表示手段は、前記取得手段により取得した複数の特定のスポットの画像のスライドショーを表示することを特徴とする請求項１又は２に記載の情報処理装置。
〔請求項４〕
前記表示手段は、前記照合の結果、前記特定のスポットの情報と一致したスケジュール情報を、前記特定のスポットの画像とともに表示することを特徴とする請求項１〜３のいずれか一項に記載の情報処理装置。
〔請求項５〕
前記他のユーザが存在するスポットの判定情報をサーバに送信し、当該スポットが前記特定のスポットであるか否かの回答を前記サーバから受信する通信手段を備え、
前記制御手段は、前記サーバからの回答に応じて、前記他のユーザが前記特定のスポットに存在するか否かを判定することを特徴とする請求項１〜４のいずれか一項に記載の情報処理装置。
〔請求項６〕
情報処理装置のユーザのスケジュール情報又は当該情報処理装置の位置情報を特定のスポットの情報と照合することにより、前記ユーザが前記特定のスポットに存在するか否かを判定する制御手段と、
前記制御手段により特定のスポットに存在すると判定した場合、前記特定のスポットの画像を取得する取得手段と、
前記取得手段により取得した前記特定のスポットの画像を他の情報処理装置に送信する通信手段と、
を備えることを特徴とする情報処理装置。
〔請求項７〕
前記スケジュール情報は、スケジュールの開始時間の情報を含み、
前記通信手段は、前記スケジュールの開始時間に至った後に、前記特定のスポットの画像を他の情報処理装置に送信することを特徴とする請求項６に記載の情報処理装置。
〔請求項８〕
前記通信手段は、前記ユーザが存在するスポットの判定情報をサーバに送信し、当該スポットが前記特定のスポットであるか否かの回答を前記サーバから受信し、
前記制御手段は、前記サーバからの回答に応じて、前記ユーザが特定のスポットに存在するか否かを判定することを特徴とする請求項６又は７に記載の情報処理装置。
〔請求項９〕
前記特定のスポットは、行楽スポットであることを特徴とする請求項１〜８のいずれか一項に記載の情報処理装置。
〔請求項１０〕
グループを構成する複数の情報処理装置のそれぞれが位置するスポットが特定のスポットであるか否かを判定する制御手段と、
前記制御手段により特定のスポットであると判定した場合、前記特定のスポットの画像を取得する取得手段と、
前記取得手段により取得した前記特定のスポットの画像を、前記グループを構成する情報処理装置のうち、前記特定のスポットに位置すると判定した情報処理装置以外の他の情報処理装置に送信する通信手段と、
を備えることを特徴とするサーバ。
〔請求項１１〕
情報処理装置が実行する画像表示方法であって、
前記情報処理装置のユーザとは異なる他のユーザのスケジュール情報又は前記他のユーザの情報処理装置の位置情報を特定のスポットの情報と照合することにより、前記他のユーザが前記特定のスポットに存在するか否かを判定するステップと、
前記特定のスポットに存在すると判定した場合、前記特定のスポットの画像を取得するステップと、
前記取得した前記特定のスポットの画像を表示するステップと、
を含むことを特徴とする画像表示方法。
〔請求項１２〕
情報処理装置が実行する画像送信方法であって、
前記情報処理装置のユーザのスケジュール情報又は当該情報処理装置の位置情報を特定のスポットの情報と照合することにより、前記ユーザが前記特定のスポットに存在するか否かを判定するステップと、
前記特定のスポットに存在すると判定した場合、前記特定のスポットの画像を取得するステップと、
前記取得した前記特定のスポットの画像を他の情報処理装置に送信するステップと、
を含むことを特徴とする画像送信方法。
〔請求項１３〕
サーバが実行する画像送信方法であって、
グループを構成する複数の情報処理装置のそれぞれが位置するスポットが特定のスポットであるか否かを判定するステップと、
前記複数の情報処理装置のうちのいずれかが位置するスポットが特定のスポットであると判定した場合、前記特定のスポットの画像を取得するステップと、
前記取得した前記特定のスポットの画像を、前記グループを構成する情報処理装置のうち、前記特定のスポットに位置すると判定された情報処理装置以外の他の情報処理装置に送信するステップと、
を含むことを特徴とする画像送信方法。
〔請求項１４〕
情報処理装置のコンピュータに、
前記情報処理装置のユーザとは異なる他のユーザのスケジュール情報又は前記他のユーザの情報処理装置の位置情報を特定のスポットの情報と照合することにより、前記他のユーザが前記特定のスポットに存在するか否かを判定するステップと、
前記特定のスポットに存在すると判定した場合、前記特定のスポットの画像を取得するステップと、
前記取得した前記特定のスポットの画像を表示するステップと、
を実行させるためのプログラム。
〔請求項１５〕
情報処理装置のコンピュータに、
前記情報処理装置のユーザのスケジュール情報又は当該情報処理装置の位置情報を特定のスポットの情報と照合することにより、前記ユーザが前記特定のスポットに存在するか否かを判定するステップと、
前記特定のスポットに存在すると判定した場合、前記特定のスポットの画像を取得するステップと、
前記取得した前記特定のスポットの画像を他の情報処理装置に送信するステップと、
を実行させるためのプログラム。
〔請求項１６〕
サーバのコンピュータに、
グループを構成する複数の情報処理装置が位置するスポットが特定のスポットであるか否かを判定するステップと、
前記特定のスポットであると判定した場合、前記特定のスポットの画像を取得するステップと、
前記取得した前記特定のスポットの画像を、前記グループを構成する情報処理装置のうち、前記特定のスポットに位置すると判定された情報処理装置以外の他の情報処理装置に送信するステップと、
を実行させるためのプログラム。
【符号の説明】
【００７４】
１００    通信システム
１０Ａ、１０Ｂ    情報処理装置
１１    制御部
１２    記憶部
１３    操作部
１４    表示部
１５    通信部
１６    マイク
１７    スピーカ
１８    位置検出部
１９    撮影部
３０    サーバ
３１    制御部
３２    記憶部
３３    通信部
【図１】
2017062560.tif 000003
【図２】
2017062560.tif 000004
【図３】
2017062560.tif 000005
【図４】
2017062560.tif 000006
【図５】
2017062560.tif 000007
【図６】
2017062560.tif 000008
【図７】
2017062560.tif 000009
【図８】
2017062560.tif 000010
【図９】
2017062560.tif 000011